(57)【要約】【課題】  通話中キーボタンを利用した効果音/背景音の出力機能を持つ携帯用端末機を提供することである。【解決手段】  複数のキーボタン情報と通話中効果音/背景音が貯蔵されている貯蔵部と、上記キーボタンに対応される通話中効果音/背景音を出力するキートーン出力部と、信号処理を行う送信側信号処理部と、外部から入力されるキーボタン選択信号に応じて当該通話中効果音/背景音を上記貯蔵部から読み込んで上記キートーン出力部に出力されるようにする一方、上記送信側信号処理部を通して出力される通話中効果音/背景音が所定のチャンネルを通して転送されるように全体システムを制御するメインコントローラとを含んで構成されたメインモジュールを含んで構成されている。【選択図】図１
2004312662.tif 000002
【特許請求の範囲】
【請求項１】
マイクに入力される音声信号を無線通信部を通して既設定された通信方式に従って変調させた後、アンテナを通して送出し、アンテナを通して受信された無線信号を無線通信部を通して復調させた後、スピーカーに出力する携帯用端末機において、
複数のキーボタン情報と上記キーボタンに対応される通話中効果音/背景音が貯蔵されている貯蔵部と、上記キーボタンが押される場合、上記キーボタンに対応される通話中効果音/背景音を出力するキートーン出力部と、上記キートーン出力部から出力される通話中効果音/背景音を上記マイク内のスピーカー手段を通して入力され、上記無線通信部に出力できるように信号処理を行う送信側信号処理部と、外部から入力されるキーボタン選択信号に応じて当該通話中効果音/背景音を上記貯蔵部から読み込んで上記キートーン出力部に出力されるようにする一方、上記送信側信号処理部を通して出力される通話中効果音/背景音が所定のチャンネルを通して転送できるように全体システムを制御するメインコントローラとを含んで構成されたメインモジュールを含んで構成されたことを特徴とする通話中キーボタンを利用した効果音/背景音の出力機能を持つ携帯用端末機。
【請求項２】
マイクに入力される音声信号を無線通信部を通して既設定された通信方式に従って変調させた後、アンテナを通して送出し、アンテナを通して受信された無線信号を無線通信部を通して復調させた後、スピーカーに出力する携帯用端末機において、
複数のキーボタン情報と上記キーボタンに対応される通話中効果音/背景音が貯蔵されている貯蔵部と、上記キーボタンが押される場合、上記キーボタンに対応される通話中効果音/背景音を出力するキートーン出力部と、上記キートーン出力部から出力される通話中効果音/背景音を入力され、上記無線通信部に出力できるように信号処理を行う送信側信号処理部と、外部から入力されるキーボタン選択信号に応じて当該通話中効果音/背景音を上記貯蔵部から読み込んで上記キートーン出力部に出力されるようにする一方、上記送信側信号処理部を通して出力される通話中効果音/背景音が所定のチャンネルを通して転送できるように全体システムを制御するメインコントローラとを含んで構成されたメインモジュール；を含んで構成されたことを特徴とする通話中キーボタンを利用した効果音/背景音の出力機能を持つ携帯用端末機。
【請求項３】
上記メインモジュールとは別途のモジュールで製作され、上記メインモジュールのメインコントローラとの通信を通して上記使用者により所定のキーボタンが押された場合、上記キーボタンに該当する通話中効果音/背景音を再生させ、上記メインモジュールのマイク内のスピーカー手段を通して出力されるようにするインベッディドコントローラを含んでいるインベッディドモジュールを更に含んで構成されたことを特徴とする請求項１又は２に記載の通話中キーボタンを利用した効果音/背景音の出力機能を持つ携帯用端末機。
【請求項４】
上記メインモジュールとは別途のモジュールで製作され、上記メインモジュールのメインコントローラとの通信を通して上記使用者により所定のキーボタンが押された場合、上記キーボタンに該当する通話中効果音/背景音を再生させて上記メインモジュールの送信部信号処理部を通して出力されるようにするインベッディド コントローラを含んでいるインベッディドモジュールを更に含んで構成されたことを特徴とする請求項１又は２に記載の通話中キーボタンを利用した効果音/背景音の出力機能を持つ携帯用端末機。
【請求項５】
上記通話中効果音/背景音として提供される音源をデータベースとして構築しているサーバーを更に含み、
上記インベッディドコントローラは、
上記使用者により入力される通話中効果音/背景音が貯蔵されるキー信号情報及び通話中効果音/背景音ダウンロード要請信号を出力して、通話中効果音/背景音ダウンロード要請信号が無線通信部を通して上記サーバーに転送されるようにし、上記通話中効果音/背景音ダウンロード要請信号に応じて上記サーバーからダウンロードされる通話中効果音/背景音がキー信号に対応されて、上記メインモジュールの上記貯蔵部に貯蔵されるようにすることを特徴とする請求項３に記載の通話中キーボタンを利用した効果音/背景音の出力機能を持つ携帯用端末機。
【請求項６】
上記インベッディドモジュールは、キー信号及び上記キー信号に対応させて通話中効果音/背景音を貯蔵しているインベッディド貯蔵部を含み、
上記インベッディド コントローラは、上記使用者により所定のキーボタンが押された場合、当該キーボタンに該当する通話中効果音/背景音を上記インベッディド貯蔵部から読み込んでデジタル信号に変換させた後、上記送信側信号処理部に出力できるように上記メインコントローラに出力することを特徴とする請求項１又は２に記載の通話中キーボタンを利用した効果音/背景音の出力機能を持つ携帯用端末機。
【請求項７】
上記インベッディドコントローラは、上記使用者により所定のキーボタンが押された場合、当該キーボタンに該当する通話中効果音/背景音を上記インベッディド貯蔵部から読み込んで上記メインモジュールのマイク内のスピーカー手段を通して出力できるように上記メインコントローラに出力することを特徴とする請求項６に記載の通話中キーボタンを利用した効果音/背景音の出力機能を持つ携帯用端末機。
【請求項８】
上記通話中効果音/背景音として提供される音源をデータベースとして構築しているサーバーを更に含み、
上記メインコントローラは、
上記使用者により入力される通話中効果音/背景音が貯蔵されるキー信号情報及び通話中効果音/背景音ダウンロード要請信号を出力して、通話中効果音/背景音ダウンロード要請信号が無線通信部を通して上記サーバーに転送されるようにし、上記通話中効果音/背景音ダウンロード要請信号に応じて上記サーバーからダウンロードされる通話中効果音/背景音がキー信号に対応されて上記メインモジュールの上記貯蔵部に貯蔵されるようにすることを特徴とする通話中キーボタンを利用した効果音/背景音の出力機能を持つ携帯用端末機。
【発明の詳細な説明】
【技術分野】
【０００１】
本発明は、通話中キーボタンを利用した効果音/背景音の出力機能を持つ携帯用端末機に関するものである。より詳しくは、使用者がダイヤルパッド上の所定のキーボタンを利用して選択した通話中効果音/背景音が送信人携帯用端末機に出力されるようにするための通話中キーボタンを利用した効果音/背景音の出力機能を持つ携帯用端末機に関するものである。
【背景技術】
【０００２】
最近、携帯用端末機が急速度で補給され、国民の大多数が携帯用端末機を持つことになり、また無線データ通信網の発達によって携帯用端末機が固有の役割である通信機能の他に、情報提供、ゲーム、決済機能などを持つことになった。
【０００３】
それで、上記携帯用端末機を利用して各種サービスを提供しようとする運営者が続出してきており、上記各種サービスは有料サービスであり、サービス代金は通信料金に追加されて請求される。
【０００４】
また、上記運営者等は、使用者が通話をしている間でも提供可能なサービスを開発し始めており、その代表的なサービスが同じ音楽を聞きながら通話できるようにするサービスなど、携帯用端末機を利用した付加サービスを開発することに総力を傾けており、携帯用端末機を利用した使用者も多様なサービスを要求するに至った。
【発明の開示】
【発明が解決しようとする課題】
【０００５】
従って、本発明は、上記のような使用者の要求に応じるために案出されたもので、本発明の目的は、使用者が通話をする途中、ダイヤルパッド上の所定のキーボタンを押すと、上記キーボタンに対応付けられて貯蔵された通話中効果音/背景音が再生、出力されて送信人携帯用端末機に出力されるようにするための通話中キーボタンを利用した効果音/背景音の出力機能を持つ携帯用端末機を提供することにある。
また、本発明の目的は、使用者が通話をする途中、直接話しにくいことが発生した場合、キーに貯蔵された通話中効果音/背景音を利用して出力させ、自己の代わりに話せるようにするための通話中キーボタンを利用した効果音/背景音の出力機能を持つ携帯用端末機を提供するにある。
【課題を解決するための手段】
【０００６】
上記の目的を達成するために、本発明の一実施例として、本発明は、マイクに入力される音声信号を無線通信部を通して既設定された通信方式に従って変調させた後、アンテナを通して送出し、アンテナを通して受信された無線信号を無線通信部を通して復調させた後、スピーカーに出力する携帯用端末機において、複数のキーボタン情報と上記キーボタンに対応される通話中効果音/背景音が貯蔵されてある貯蔵部と、上記キーボタンが押される場合上記キーボタンに対応される効果音/背景音を出力するキートーン出力部と、上記キートーン出力部から出力される通話中効果音/背景音を上記マイク内のスピーカー手段を通して入力され上記無線通信部に出力できるように信号処理を行う送信側信号処理部と、外部から入力されるキーボタン選択信号に応じて当該通話中効果音/背景音を上記貯蔵部から読み込んで上記キートーン出力部で出力されるようにする一方、上記送信側信号処理部を通して出力される通話中効果音/背景音が所定のチャンネルを通して転送できるように全体システムを制御するメインコントローラを含んで構成されたメインモジュール；を含んで構成されたことを特徴とする通話中キーボタンを利用した効果音/背景音の出力機能を持つ携帯用端末機を設けて、上述した課題を解決する。
【０００７】
また、本発明の他の実施例として、本発明は、マイクに入力される音声信号を無線通信部を通して既設定された通信方式に従って変調させた後、アンテナを通して送出し、アンテナを通して受信された無線信号を無線通信部を通して復調させた後、スピーカーに出力する携帯用端末機において、複数のキーボタン情報と上記キーボタンに対応される通話中効果音/背景音が貯蔵されている貯蔵部と、上記キーボタンが押される場合、上記キーボタンに対応される効果音/背景音を出力するキートーン出力部と、上記キートーン出力部から出力される通話中効果音/背景音を入力され、上記無線通信部に出力できるように信号処理を行う送信側信号処理部と、外部から入力されるキーボタン選択信号に応じて該当通話中効果音/背景音を上記貯蔵部から読み込んで上記キートーン出力部に出力されるようにする一方、上記送信側信号処理部を通して出力される通話中効果音/背景音が所定のチャンネルを通して転送できるように全体システムを制御するメインコントローラを含んで構成されたメインモジュール；を含んで構成されたことを特徴とする通話中キーボタンを利用した効果音/背景音の出力機能を持つ携帯用端末機を設けて、上述した課題を解決する。
【０００８】
また、本発明は、上記メインモジュールとは別途のモジュールで製作され、上記メインモジュールのメインコントローラとの通信を通して上記使用者により所定のキーボタンが押された場合、上記キーボタンに該当する通話中効果音/背景音を再生させ、上記メインモジュールのマイク内のスピーカー手段を通して出力されるようにするインベッディドコントローラを含んでいるインベッディドモジュールを更に含んで構成されたことを特徴とする通話中キーボタンを利用した効果音/背景音の出力機能を持つ携帯用端末機を設けて、上述した課題を解決する。
【０００９】
また、本発明は、上記メインモジュールとは別途のモジュールで製作され、上記メインモジュールのメインコントローラとの通信を通して上記使用者により所定のキーボタンが押された場合、上記キーボタンに該当される通話中効果音/背景音を再生させ、上記メインモジュールの送信部信号処理部を通して出力されるようにするインベッディドコントローラを含んでいるインベッディドモジュールを更に含んで構成されたことを特徴とする通話中キーボタンを利用した効果音/背景音の出力機能を持つ携帯用端末機を設けて、上述した課題を解決する。
【００１０】
また、上記インベッディドコントローラは、上記使用者により入力される通話中効果音/背景音が貯蔵されるキー信号情報及び通話中効果音/背景音ダウンロード要請信号に応じて通話中効果音/背景音ダウンロード要請信号が無線通信部を通して出力されるようにし、上記通話中効果音/背景音ダウンロード要請信号に応じてダウンロードされる通話中効果音/背景音がキー信号に対応付けられて上記貯蔵部に貯蔵されるようにすることを特徴とする通話中キーボタンを利用した効果音/背景音の出力機能を持つ携帯用端末機を設けて、上述した課題を解決する。
【００１１】
また、上記インベッディドモジュールは、キー信号及び上記キー信号に対応させて通話中効果音/背景音を貯蔵しているインベッディド貯蔵部を含み、上記インベッディドコントローラは、上記使用者により所定キーボタンが押された場合、当該キーボタンに該当するる通話中効果音/背景音を上記インベッディド貯蔵部から読み込んでデジタル信号に変換させた後、上記送信側信号処理部に出力できるように上記メインコントローラに出力することを特徴とする通話中キーボタンを利用した効果音/背景音の出力機能を持つ携帯用端末機を設けて、上述した課題を解決する。
【００１２】
また、上記インベッディドコントローラは、上記使用者により所定のキーボタンが押された場合、当該キーボタンに該当する通話中効果音/背景音を上記インベッディド貯蔵部から読み込んで上記メインモジュールのマイク内のスピーカー手段を通して出力できるように上記メインコントローラに出力することを特徴とする通話中キーボタンを利用した効果音/背景音の出力機能を持つ携帯用端末機を設けて、上述した課題を解決する。
【００１３】
本発明の上記の目的と特徴及び長所は、添付図面及び下記の詳細な説明を参照すれば、更に容易に理解できるものである。
【発明の効果】
【００１４】
以上で説明したように、本発明は、使用者が通話をする途中、ダイヤルパッド上の所定のキーボタンを押すと、上記キーボタンに対応付けられて貯蔵された通話中効果音/背景音が再生、出力されて送信人携帯用端末機に出力されるようにする効果を奏する。
【００１５】
また、本発明は、使用者が通話をする途中、直接話しにくいことが発生した場合、キーに貯蔵された通話中効果音/背景音を利用して出力させ、自己の代わりに話せるようにする効果を奏する。
【００１６】
また、本発明は、通話中効果音/背景音を利用して、所望の通話雰囲気を形成できるようにする効果を奏する。
【発明を実施するための最良の形態】
【００１７】
図1は、本発明の通話中効果音/背景音の出力機能を持つ携帯用端末機の第1実施例に対する構成ブロック図であり、図2は、本発明の通話中効果音/背景音の出力機能を持つ携帯用端末機の第2実施例に対する構成ブロック図であり、図3は、本発明の通話中効果音/背景音の出力機能を持つ携帯用端末機の第3実施例に対する構成ブロック図であり、図4は、本発明の通話中効果音/背景音の出力機能を持つ携帯用端末機の第4実施例に対する構成ブロック図である。
【００１８】
添付図面の図1に示されたように、携帯用端末機は、マイクに入力される音声信号を無線通信部（130）を通して既設定された通信方式に従って変調させた後、アンテナを通して送出し、アンテナを通して受信された無線信号を無線通信部（130）を通して復調させた後、スピーカー（120）に出力できるようにする基本的な構成を有しており、実施例によってその構成が少しずつ異なっており、第1実施例は、マイク内のスピーカー手段（150）を通して入力される通話中効果音/背景音が送信側信号処理部（160）を通して送出されるのに適する信号に処理された後送出されるようにする方式で携帯用端末機が運用できるように、本発明を具現することのできるプログラムを貯蔵部（110）に搭載したものである。この際、上記マイク内のスピーカー手段（150）は一般に携帯用端末機に備えられているマイクでスピーカー機能を行える部分であって、上記マイク内のスピーカー手段（150）を通して上記使用者により選択された通話中効果音/背景音が出力される。
【００１９】
第2実施例は、添付図面の図2に示されたように、第1実施例とは異なって、通話中効果音/背景音がメインコントローラ（170）により貯蔵部（110）から読み取られて送信側信号処理部（160）に即時入力されるようにした後相手に転送されるようにする方式で携帯用端末機が運用できるように、プログラムを貯蔵部(110)に搭載したものである。  第2実施例の場合、上記第1実施例とは異なって、送信者は上記再生、送出される通話中効果音/背景音を聴取することができなくなる。しかし、第2実施例の場合、上記送信側信号処理部（160）の入力端とスピーカーとを連結して上記通話中効果音/背景音を上記送信者も聴取できるように具現することができる。
【００２０】
第3実施例及び第4実施例は、添付図面の図3及び図4に示されたように、第1実施例及び第2実施例の変形であって、携帯用端末機に備えられた貯蔵部の容量限界から本発明のように運用できるようにするプログラムを搭載し難しい場合、上記携帯用端末機のメインモジュール（CDMA通信モジュール）と連結できるインベッディドモジュールを製作して、携帯用端末機の本体に上記メインモジュールと連結、搭載したものである。また、上記第1乃至第4実施例は、共通的に携帯用端末機使用者は携帯用端末機を利用して通話中効果音/背景音の音源をデータベースとして構築しているサーバー（300）に、図面には図示されていないが、データ通信網を通してオンライン接続を行った後、所望の通話中効果音/背景音をダウンロードすることができる。
【００２１】
（第1実施例）
第1実施例の構成は、添付図面の図1に示されたように、複数のキーボタン情報と上記キーボタンに対応される通話中効果音/背景音が貯蔵されている貯蔵部（110）と、後術する受信側信号処理部（140）により信号処理された相手の声信号と通話中効果音/背景音を出力するスピーカー（120）と、上記無線通信部(130)から入力される相手の声信号と通話中効果音/背景音を受信され、上記スピーカー（120）に出力されるのに適するアナログ信号に変換する受信側信号処理部（140）と、使用者により所定のキーボタンが押される場合、制御部（170）の制御により上記キーボタンに対応する通話中効果音（または、背景音）を出力するキートーン出力部（142）と、上記キートーン出力部から出力される通話中効果音/背景音を複数のマイク内のスピーカー手段（150）を通して入力され、上記無線通信部（130）に出力できるように信号処理を行う送信側信号処理部（160）と、上記使用者により入力されるキーボタン選択信号に応じて当該通話中効果音/背景音を上記貯蔵部（110）から読み込んで上記キートーン出力部（142）に出力されるようにする一方、上記送信側信号処理部（160）を通して出力される通話中効果音/背景音が所定のチャンネルを通して転送できるように全体システムを制御するメインコントローラ（170）とを含むメインモジュール（100）から構成される。この際、上記通話中効果音/背景音が送出されるチャンネルは通話チャンネルである。
上記のように構成された第1実施例の作用は、下記の通りである。
【００２２】
添付図面の図1に示されたように、まず、使用者がキー入力部（220）に備えられた所定のキーボタンを押す場合、メインコントローラ（170）は現在のモードが通話モードであるかどうかをチェックし、チェック結果、通話モードの場合、上記使用者が通話中効果音/背景音の出力モードを選択した場合であると認識して、貯蔵部（110）から通話中効果音/背景音を読み込んで送信側信号処理部（160）に出力する。
【００２３】
すると、上記送信側信号処理部（160）は、無線通信部（130）を通して受信された相手の声信号に雑音として作用しないように上記通話中効果音/背景音を信号処理した後、声信号を同じチャンネル（通話チャンネル）、または他のチャンネルを利用して送出する。この際、声信号と同じチャンネルを利用して送信する場合、受信側において声信号か、若しくは通話中効果音/背景音かが分かるようなデータを添加して転送する。この際、携帯用端末機に備えられたマイク内のスピーカー手段（150）を通して上記通話中効果音/背景音を入力され、上記送信側信号処理部（160）に出力される。
【００２４】
そして、上記メインコントローラ（170）は、無線通信部を通して受信された通話中効果音/背景音が受信側信号処理部（140）に入力されるように制御し、受信側信号処理部は（140）は上記通話中効果音/背景音を相手の声信号と共にスピーカーを通して出力する。
【００２５】
そして、メインコントローラ（170）は、上記使用者の要請に応じて上記通話中効果音/背景音を提供するサーバー（300）にオンライン接続を行った後、上記通話中効果音/背景音をダウンロードした後、上記ダウンロードされた通話中効果音/背景音を貯蔵部（110）に貯蔵し、通話中効果音/背景音が更新されるようにする。すなわち、上記サーバー（300）は、通話中効果音/背景音として提供される音源をデータベースとして構築しており、上記メインコントローラ（170）は、通話チャンネルを通して相手に転送される上記通話中効果音/背景音に対する音源を上記サーバー（300）からダウンロードして通話チャンネルに転送されるように制御し、相手話者が聞けるようにする。
【００２６】
（第2実施例）
本発明の第2実施例は、添付図面の図2に示されたように、第1実施例とは異なって、貯蔵部（110）に貯蔵された通話中効果音/背景音が送信側信号処理部（160）に即時入力されるようにし、信号処理された後相手の携帯用端末機に転送できるように構成されたものであって、その以外の他の構成は第1実施例と同一である。
上記第2実施例の作用中、第1実施例と異なる作用についてのみ説明し、第1実施例と同じ部分については省略する。
【００２７】
ここで、制御部（170）は、上記キーボタンに対応する通話中効果音/背景音を貯蔵部（110）から読み込んでキートーン出力部に出力し、キートーン出力部(142)により再生された通話中効果音/背景音は送信側信号処理部（160）に即時入力されて相手の携帯用端末機に送出される。これにより、第2実施例の場合、通話中効果音/背景音を選択した使用者は自分が選択した通話中効果音/背景音を聴取することができなくなるが、この場合、上記キートーン出力部（142）の出力信号がスピーカー（120）に入力されるように信号連結部を更に設けて、通話中効果音/背景音を選択した使用者も聴取できるように本発明を具現できる。
【００２８】
（第3実施例）
第3実施例は、添付図面の図3に示されたように、第1実施例とは異なって、上記メインモジュールとは別途のモジュールとして製作されるインベッディドモジュール（200）が携帯用端末機本体に搭載され、上記メインモジュール(100)との通信を通して通話中効果音/背景音が相手の携帯用端末機に送出されるようにするものであって、上記インベッディドモジュール（200）は、複数の通話中効果音/背景音を貯蔵している貯蔵部（210）と、上記メインモジュール（100）のメインコントローラ（170）と通信できるように連結され、上記通信を通して相手に送出される通話中効果音/背景音が上記キートーン出力部（142）に出力されるようにするインベッディド コントローラ（230）を構成要素として有する。      
【００２９】
上記のように構成された第3実施例の作用に対して説明すると、使用者が通話中所定のキーボタンを押すと、インベッディド コントローラ（230）はこれを認識して、インベッディド貯蔵部（210）に貯蔵された通話中効果音/背景音中、当該通話中効果音/背景音を読み込んでメインモジュール（100）のキートーン出力部（142）に出力されるようにする。以後、プロセスは第1実施例と同一であるので、その詳細な説明は省略する。
【００３０】
（第4実施例）
第4実施例は、添付図面の図4に示されたように、上記第3実施例と同じ構成要素を有し、上記インベッディド コントローラ（230）によりメインモジュール（100）のキートーン出力部（142）に出力された通話中効果音/背景音が第2実施例の場合と同様にマイク内のスピーカー手段（150）ではなく送信側信号処理部（160）に入力されるようにする。従って、第4実施例に対する詳細な説明は、第2実施例及び第3実施例と同一であるので、ここではその詳細な説明は省略する。
【００３１】
ところで、本発明に適用された貯蔵部（110）またはインベッディド貯蔵部（210）は、多数の領域に分けられ、上記領域の中の1つにダウンロードされた通話中効果音/背景音が貯蔵され、再生、出力される。特に上記通話中効果音/背景音の貯蔵領域が足りない場合、先入先出方式により予め貯蔵された通話中効果音/背景音が削除されるように具現するか、若しくは使用者が所望の通話中効果音/背景音を削除できるように具現することができる。上記第3実施例及び第4実施例に適用されたインベッディド コントローラ（230）は、上記第1、第2実施例に適用されたメインコントローラ（230）と同様に通話中効果音/背景音として提供される音源をデータベースとして構築しているサーバー（300）にオンライン接続を行った後、通話チャンネルを通して相手に転送される通話中効果音/背景音に対する音源をダウンロードして通話チャンネルに転送されるように制御し、相手の話者が聞けるようにする。
【００３２】
以上の本発明は、上述された実施例に限定されることなく、当業者により多様な変形及び変更を行うことができ、これは添付の請求項により定義される本発明の趣旨の範囲に含まれるものである。
【図面の簡単な説明】
【００３３】
【図１】本発明の通話中効果音/背景音の出力機能を持つ携帯用端末機の第1実施例に対する構成ブロック図、
【図２】本発明の通話中効果音/背景音の出力機能を持つ携帯用端末機の第2実施例に対する構成ブロック図、
【図３】本発明の通話中効果音/背景音の出力機能を持つ携帯用端末機の第3実施例に対する構成ブロック図、
【図４】本発明の通話中効果音/背景音の出力機能を持つ携帯用端末機の第4実施例に対する構成ブロック図である。
【符号の説明】
【００３４】
１００    メインモジュール
１１０    貯蔵部
１２０    スピーカー
１３０    無線通信部
１４０    受信側信号処理部
１５０    マイク内のスピーカー手段
１６０    送信側信号処理部
１７０    メインコントローラ
２００    インベッディドモジュール
２１０    インベッディド貯蔵部
２２０    キー入力部
３００    サーバー
【図１】
2004312662.tif 000003
【図２】
2004312662.tif 000004
【図３】
2004312662.tif 000005
【図４】
2004312662.tif 000006